(57)【特許請求の範囲】
【請求項１】
ハイブリッド自動再送要求（ＨＡＲＱ）メッセージを検出するための方法であって、前記方法は、ユーザ機器のプロセッサによって実行され、前記方法は、
ＨＡＲＱメッセージを受信することに関連する時間遅延に基づいてラウンドトリップタイム（ＲＴＴ）をセットすることと、
前記ＲＴＴが切れるときに前記ＨＡＲＱメッセージを受信することと、
前記ＨＡＲＱメッセージを受信したことに応答して、複数の繰り返された肯定応答（ＡＣＫ）／否定応答（ＮＡＣＫ）サブフレームを送信することと
を含み、
前記ＲＴＴは、前記複数の繰り返されたＡＣＫ／ＮＡＣＫサブフレームを送信することに関連する時間遅延の合計に所定の時間を加算した時間に等しいようにセットされ、
前記複数の繰り返されたＡＣＫ／ＮＡＣＫサブフレームは、各受信されたＨＡＲＱメッセージに応答して送信されるべき所定の数のＡＣＫ／ＮＡＣＫサブフレームに等しく、
前記所定の数のＡＣＫ／ＮＡＣＫサブフレームは、無線条件に基づく、方法。
【請求項２】
前記所定の数のＡＣＫ／ＮＡＣＫサブフレームを更新するための要求を受信することと、
無線条件に基づいて、前記所定の数のＡＣＫ／ＮＡＣＫサブフレームを更新することと
をさらに含む、請求項１に記載の方法。
【請求項３】
前記ＨＡＲＱメッセージが再送信された場合に、
前記ＲＴＴがセットされたときにスリープモードに切り替わることと、
前記再送信されたＨＡＲＱメッセージを受信するように前記ＲＴＴが切れているときにウェイクアップさせることと
をさらに含む、請求項１に記載の方法。
【請求項４】
前記ＲＴＴが切れているときに間欠受信（ＤＲＸ）オフ期間中にウェイクアップさせることをさらに含む、請求項３に記載の方法。
【請求項５】
前記複数の繰り返されたＡＣＫ／ＮＡＣＫサブフレームは、各受信されたＨＡＲＱメッセージに応答して送信されるべき約２、約４、または、約６の繰り返されたＡＣＫ／ＮＡＣＫサブフレームに等しい、請求項１に記載の方法。
【請求項６】
前記遅延時間の合計は、前記複数の繰り返されたＡＣＫ／ＮＡＣＫサブフレームを運ぶための時間から１つのＡＣＫ／ＮＡＣＫサブフレームを送信することに関連する時間を引いた時間を含む、請求項１に記載の方法。
【請求項７】
前記所定の時間は、約８ミリ秒に等しく、１つのＡＣＫ／ＮＡＣＫサブフレームを運ぶための前記時間遅延は、約１ミリ秒に等しい、請求項６に記載の方法。
【請求項８】
通信は、周波数分割複信（ＦＤＤ）を使用して確立される、請求項７に記載の方法。
【請求項９】
前記所定の時間は、約４＋ｍミリ秒に等しく、ｍは、所定の整数である、請求項６に記載の方法。
【請求項１０】
通信は、時分割複信（ＴＤＤ）を使用して確立される、請求項９に記載の方法。
【請求項１１】
ユーザ機器（ＵＥ）であって、
前記ユーザ機器は、プロセッサを含み、
前記プロセッサは、
ＨＡＲＱメッセージを受信することに関連する時間遅延に基づいてラウンドトリップタイム（ＲＴＴ）をセットすることであって、前記ＨＡＲＱメッセージは、前記ＲＴＴが切れているときに受信される、ことと、
前記ＨＡＲＱメッセージを受信したことに応答して、複数の繰り返された肯定応答（ＡＣＫ）／否定応答（ＮＡＣＫ）サブフレームを送信することと
を行うように構成されており、
前記ＲＴＴは、前記複数の繰り返されたＡＣＫ／ＮＡＣＫサブフレームを送信することに関連する時間遅延の合計に所定の時間を加算した時間に等しいようにセットされ、
前記複数の繰り返されたＡＣＫ／ＮＡＣＫサブフレームは、所定の数のＡＣＫ／ＮＡＣＫサブフレームに等しく、前記所定の数のＡＣＫ／ＮＡＣＫサブフレームは、無線条件に基づき、
前記プロセッサは、前記プロセッサが受信した各ＨＡＲＱメッセージに応答して、前記所定の数のＡＣＫ／ＮＡＣＫサブフレームを送信するように構成されている、ユーザ機器。
【請求項１２】
前記プロセッサは、
前記所定の数のＡＣＫ／ＮＡＣＫサブフレームを更新するための要求を受信することと、
無線条件に基づいて、前記所定の数のＡＣＫ／ＮＡＣＫサブフレームを更新することと
を行うようにさらに構成されている、請求項１１に記載のＵＥ。
【請求項１３】
前記ＨＡＲＱメッセージが再送信された場合に、前記再送信されたＨＡＲＱメッセージは、前記ＲＴＴが切れるときにスリープモードからウェイクした後に受信され、前記ＲＴＴは、前記スリープモードに切り替わる前にセットされる、請求項１１に記載のＵＥ。
【請求項１４】
前記スリープモードに切り替わることは、バッテリー電力を節約することを促進する、請求項１３に記載のＵＥ。
【請求項１５】
前記再送信されたＨＡＲＱメッセージは、間欠受信（ＤＲＸ）オフ期間中に前記ＲＴＴが切れているときに受信される、請求項１３に記載のＵＥ。
【請求項１６】
前記複数の繰り返されたＡＣＫ／ＮＡＣＫサブフレームは、各受信されたＨＡＲＱメッセージに応答して前記プロセッサが送信するように構成されている約２、約４、または、約６の繰り返されたＡＣＫ／ＮＡＣＫサブフレームに等しい、請求項１１に記載のＵＥ。
【請求項１７】
前記遅延時間の合計は、前記複数の繰り返されたＡＣＫ／ＮＡＣＫサブフレームを運ぶための時間から１つのＡＣＫ／ＮＡＣＫサブフレームを送信することに関連する時間を引いた時間を含む、請求項１６に記載のＵＥ。
【請求項１８】
前記所定の時間は、約８ミリ秒に等しく、１つのＡＣＫ／ＮＡＣＫサブフレームを運ぶための前記時間遅延は、約１ミリ秒に等しい、請求項１７に記載のＵＥ。
【請求項１９】
通信は、周波数分割複信（ＦＤＤ）を使用して確立される、請求項１８に記載のＵＥ。
【請求項２０】
前記所定の時間は、約４＋ｍミリ秒に等しく、ｍの値は、構成に依存する、請求項１７に記載のＵＥ。
【請求項２１】
通信は、時分割複信（ＴＤＤ）を使用して確立される、請求項２０に記載のＵＥ。
【発明の詳細な説明】
【背景技術】
【０００１】
（背景）
この明細書で使用される場合、“ユーザ機器”および“ＵＥ”という用語は、携帯電話、携帯情報端末、ハンドヘルドパソコンまたはラップトップコンピュータ、および電話通信能力を有する同様な装置のようなワイヤレス装置をいい得る。このようなＵＥは、ワイヤレス装置と、それに関連するＳｕｂｓｃｒｉｂｅｒ  Ｉｄｅｎｔｉｔｙ  Ｍｏｄｕｌｅ（ＳＩＭ）アプリケーション、Ｕｎｉｖｅｒｓａｌ  Ｓｕｂｓｃｒｉｂｅｒ  Ｉｄｅｎｔｉｔｙ  Ｍｏｄｕｌｅ（ＵＳＩＭ）アプリケーション、またはＲｅｍｏｖａｂｌｅ  Ｕｓｅｒ  Ｉｄｅｎｔｉｔｙ  Ｍｏｄｕｌｅ（Ｒ−ＵＩＭ）アプリケーションを含むユニバーサルＩＣカード（ＵＩＣＣ）から成り得るか、このようなカードなしに装置そのものから成り得る。“ＵＥ”という用語は、デスクトップパソコン、セットトップボックス、またはネットワークノードのような、同様なワイヤレス能力を有するが運搬可能でない装置をもいい得る。ＵＥがネットワークノードであるとき、ネットワークノードは、ワイヤレス装置のような別の機能の代わりとして作動し得、ワイヤレス装置をシミュレートまたはエミュレートし得る。例えば、いくつかのワイヤレス装置では、典型的に、装置に存在するＩＰ（インターネットプロトコル）マルチメディアサブシステム（ＩＭＳ）セッション確立プロトコル（ＳＩＰ）クライアントは、実際には、ネットワークに存在し、最適化されたプロトコルを使用してＳＩＰメッセージ情報を装置に中継する。言い換えれば、従来、ワイヤレス装置により実行されたいくつかの機能は、リモートＵＥの形式で分散され得、リモートＵＥはネットワーク内のワイヤレス装置を表す。“ＵＥ”という用語は、ＳＩＰのセッションを終了させ得るいかなるハードウェアまたはソフトウェアコンポーネントをもいい得る。“ユーザエージェント”または“ＵＥ”という用語も“ユーザ機器”または“ＵＥ”という用語の代わりに同様な装置をいうために使用され得る。
【０００２】
従来のワイヤレス電話通信システムでは、基地局の送信機器が、セルとして公知の地理的領域全体に信号を送信する。技術が進化するにつれ、以前可能でなかったサービスを提供し得る更に先進的なネットワークアクセス装置が紹介されている。これらの先進的なネットワークアクセス装置は、例えば、基地局または他のシステムではなくエンハンスドノードＢ（ｅＮＢ）、および従来のワイヤレス電話通信システムの機器の均等物よりかなり進化した装置を含み得る。このような先進的または次世代機器は、この明細書ではロングタームエボリューション（ＬＴＥ）機器と呼ばれ得、このような機器を使用するパケットベースのネットワークは進化型パケットシステム（ＥＰＳ）と呼ばれ得る。この明細書で使用される場合、“アクセス装置”という用語は、従来の基地局、ＬＴＥ  ｅＮＢ、またはＵＥに電話通信システムの他のコンポーネントへのアクセスを提供し得る任意の他の装置のような任意のコンポーネントをいう。
【０００３】
パケットデータについて、ＵＥとアクセス装置との間でデータを搬送する信号は、周波数パラメータ、時間パラメータ、および符号化パラメータならびにアクセス装置により特定され得る他の特徴の特定のセットを有し得る。このような特徴の特定のセットを有する、ＵＥとアクセス装置との間の接続は、リソースと呼ばれ得る。アクセス装置は、典型的に、任意の特定の時間に通信している各ＵＥに対して異なるリソースを確立する。
【図面の簡単な説明】
【０００４】
本開示の更なる完全な理解のために、添付された図面および詳細な説明に関連して捉えられた、以下の簡単な説明が参照され、ここで、同様な参照番号は同様な部分を表す。
【図１】図１は、本開示の実施形態に従ったワイヤレス通信システムの実施形態の図である。
【図２】図２は、本開示の実施形態に従った延長されたラウンドトリップタイムの実施形態の図である。
【図３】図３は、本開示の実施形態に従った肯定応答／否定応答の繰り返しでハイブリッド自動再送要求メッセージを検出する方法のフローチャートである。
【図４】図４は、本開示のいくつかの実施形態を実装することに適するプロセッサーおよび関連するコンポーネントを描写する。
【発明を実施するための形態】
【０００５】
(詳細な説明）
冒頭で理解すべきは、本開示の１つ以上の実施形態の描写的な実装は以下に提供されるが、開示されるシステムおよび／または方法は、現在公知であろうと存在しようと、多数の技法を使用して実行され得ることである。本開示は、描写されこの明細書に記述される例示的なデザインおよび実装を含む描写的な実行、図面、および以下に描写される技法に決して制限されないが、添付される特許請求の範囲内と共にその均等物の全範囲内で改変され得る。
【０００６】
通信の信頼度を向上するために、アクセス装置はＵＥに複数回メッセージを再送信し得、肯定応答（ＡＣＫ）または否定応答（ＮＡＣＫ）メッセージをＵＥからハイブリッド自動再送要求（ＨＡＲＱ）として知られる各メッセージの返答として受信し得る。各ＨＡＲＱメッセージは、送信エラーの存在を検出するためにＵＥにより受信され処理され得るエラー検出（ＥＤ）情報、前方誤り訂正（ＦＥＣ）情報、または両方を含み得る。ＵＥは、送信エラーが検出されないときはＡＣＫメッセージで、送信エラーが検出されるときはＮＡＣＫメッセージでアクセス装置に返答し得る。
【０００７】
典型的に、アクセス装置は、周期的な態様でＨＡＲＱメッセージを再送信し得、連続するＨＡＲＱメッセージは、およそラウンドトリップタイム（ＲＴＴ）の遅延により間隔を開けられる。このため、ＵＥは、ＲＴＴ中はバッテリーを節約するスリープモードまたは低電力動作モードに切り替わり得、ＨＡＲＱメッセージが再送信されるときはウェイクアップさせるか、通常動作モードに切り替わり得る。例えば、ＵＥが送信エラーを有するＨＡＲＱメッセージを受信するときは、ＵＥはＨＡＲＱ  ＲＴＴタイマーをセットし得、スリープモードに切り替わり得る。また、ＵＥは、受信の不成功を示すためにアクセス装置にＮＡＣＫを送り得る。ＨＡＲＱ  ＲＴＴタイマーが切れ、データの受信が不成功であるというインジケーションがある（例えば、ＮＡＣＫが送られた）ときには、ＵＥは目覚め得、再送信されたＨＡＲＱメッセージを受信することを期待する。
【０００８】
更に、間欠受信（ＤＲＸ）オン期間として公知の時期は、ＵＥが、物理ダウンリンク制御チャンネル（ＰＤＣＣＨ）のような、ダウンリンクチャンネルをアクセス装置からモニターする目的でウェイクアップさせる周期的な期間と定義され得る。ＤＲＸサイクルは、ＤＲＸオン期間の後の起こり得る非活動の期間（すなわちＤＲＸオフ期間）の周期的な繰り返しである。例えば、ＤＲＸサイクルは、約２０ミリ秒持続すると定義され得、ＤＲＸオン期間は、その２０ミリ秒内の約４ミリ秒と定義され得る。他の活動が行われていない場合、ＵＥはＰＣＤＤＨをモニターするために約４ミリ秒間目覚め、次に、約１６ミリ秒のスリープモードに切り替わる。
【０００９】
いくつかの事例では、ほぼ同時に、ＤＲＸオン期間が開始し得、ＲＴＴが切れ得る。このため、ＵＥは、ほぼ同時またはある重複する時間にＰＤＣＣＨをモニターし得、ＨＡＲＱメッセージを受信し得る。しかし、他の事例では、ＲＴＴはＤＲＸオフ期間中であり、かつＤＲＸオン期間の開始前に切れ得る。従って、ＵＥは、再送信されたＨＡＲＱメッセージを受信するためにＤＲＸオフ期間中にウェイクアップし得る。例えば、ＨＡＲＱ  ＲＴＴタイマーがＤＲＸオン期間の終わりに始動された場合、ＨＡＲＱ  ＲＴＴタイマーは、ＵＥが非活動であり得るときまたは低電力モードにあり得るときである次のＤＲＸオフ期間中に切れ得る。この場合、ＵＥは再送信されたＨＡＲＱメッセージを受信するためにウェイクアップし得る。
【００１０】
ＲＴＴは異なる通信テクノロジーによって定義され得る。例えば、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）Ｒａｄｉｏ  Ａｃｃｅｓｓ  Ｎｅｔｗｏｒｋ  ２（ＲＡＮ２）＃６３−ＢＩＳ資料によると、ＲＴＴは、周波数分割複信（ＦＤＤ）には約８ミリ秒に等しくなるようにセットされる。いくつかのシステムでは、ＵＥは、例えば３ＧＰＰ  ＲＡＮ１  ＃５４−ＢＩＳ資料で提案されるように、向上されたフィードバックをアクセス装置に提供するために、複数の繰り返されたＡＣＫ／ＮＡＣＫメッセージまたはサブフレームで、それぞれの受信されたＨＡＲＱメッセージに返答し得る。繰り返されたＡＣＫ／ＮＡＣＫの数は、無線条件に依存して、約２、約４、約６、またはより多くの数に等しくあり得る。ＡＣＫ／ＮＡＣＫサブフレームを繰り返すことは、劣悪な無線条件では特に都合がいい。例えば、繰り返されたＡＣＫ／ＮＡＣＫの数は、通常の無線条件では約２等しくあり得、より劣悪な無線条件では約６に等しくあり得る。
【００１１】
アクセス装置は、全ての繰り返されたＡＣＫ／ＮＡＣＫサブフレームを受信した後に、ＵＥにＨＡＲＱメッセージを再送信し得る。この場合、再送信されたＨＡＲＱメッセージは、繰り返されたＡＣＫ／ＮＡＣＫサブフレームを運ぶために要求される合計時間の後にＵＥに到達し得る。合計時間は、追加的なＡＣＫ／ＮＡＣＫサブフレームのための時間遅延に加えて１つのＡＣＫ／ＮＡＣＫ返答のためのＲＴＴを含み得る。現在ＵＥは１つのＡＣＫ／ＮＡＣＫ返答のためのＲＴＴの後に目覚め、その後スリープモードに戻るように構成されているため、ＵＥは、スリープモードに戻っている状態であり得、繰り返されたＡＣＫ／ＮＡＣＫサブフレームの場合にＨＡＲＱメッセージを検出することを逃し得る。更に、再送信されたＨＡＲＱメッセージを受信することなくウェイクアップさせることは、不必要にＵＥのバッテリー電力をいくらか無駄にする。
【００１２】
この明細書に開示されているのは、繰り返されたＡＣＫ／ＮＡＣＫサブフレームの場合のＨＡＲＱメッセージの検出を向上するためのシステムおよび方法である。特に、繰り返されたＡＣＫ／ＮＡＣＫの数に関連する時間遅延を考慮することにより、ＵＥは再送信されたＨＡＲＱメッセージを受信するために時間通りにウェイクアップし得る。ＵＥは、追加的なＡＣＫ／ＮＡＣＫサブフレームを考慮するために、時間遅延に加えて１つのＡＣＫ／ＮＡＣＫ返答のためのＲＴＴの後にウェイクアップし得る。従って、ＵＥは延長されたＲＴＴの後にウェイクアップし得る。延長されたＲＴＴは、１つのＡＣＫ／ＮＡＣＫ返答のためのＲＴＴ、および繰り返されたＡＣＫ／ＮＡＣＫサブフレームの数から１を引いた数の和に等しくあり得る。この明細書で使用される場合、ＡＣＫ／ＮＡＣＫの繰り返しに基づいてＲＴＴ時間を改変する事の考察は、追加的なＡＣＫ／ＮＡＣＫサブフレームに関連する遅延時間に基づいてＲＴＴ時間を延長することを含むように意図される。ＵＥにウェイクアップさせるように信号を送るＨＡＲＱ  ＲＴＴタイマーは、延長されたＲＴＴの後に切れるようにセットされ得る。このため、ＵＥはＨＡＲＱメッセージを受信することを失敗せず、少なくともＵＥのバッテリー電力のいくらかは、早く目覚めないことにより節約される。
【００１３】
図１は、例えば、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）に記述されているようなワイヤレス通信システム１００の実施形態を描写する。図１は例示的であり、他の実施形態では他のコンポーネントまたは配置を有し得る。ワイヤレス通信システム１００は、少なくとも１つのＵＥ１１０と、アクセス装置１２０とを含み得る。ＵＥ１１０は、ワイヤレスリンクを介してネットワークアクセス装置１２０とワイヤレスに通信し得る。ワイヤレスリンクは、ＬＴＥ、ＧＳＭ、ＧＰＲＳ／ＥＤＧＥ、高速パケットアクセス（ＨＳＰＡ）、およびユニバーサル移動体通信システム（ＵＭＴＳ）を含む３ＧＰＰに記述されているような、複数の電話通信標準またはイニシアティブのいずれにも順応し得る。その上またはその代わりに、ワイヤレスリンクは、暫定標準９５（ＩＳ−９５）、符号分割多元接続（ＣＤＭＡ）２０００標準１×ＲＴＴ、または１×ＥＶ−ＤＯを含む３ＧＰＰ２に記述された複数の標準のいずれにも順応し得る。ワイヤレスリンクは、米国電気電子学会（ＩＥＥＥ）、またはＷｉＭＡＸフォーラムのような他の業界フォーラムにより記述された基準のような他の標準にも互換性があり得る。
【００１４】
アクセス装置１２０は、ｅＮＢ、基地局、またはＵＥ１１０にネットワークアクセスを促進する他のコンポーネントであり得る。アクセス装置１２０は、同じセル１３０内にあり得るいかなるＵＥ１１０とも直接に直接リンクを介して通信し得る。例えば、直接リンクは、アクセス装置１２０とＵＥ１１０との間に確立され、その２つの間で信号を送信および受信するために使用されるポイントツーポイントリンクであり得る。ＵＥ１１０は、同じセル内の少なくとも第２のＵＥ１１０とも通信し得る。その上、アクセス装置１２０は、ワイヤレス通信システム１００のコンポーネントに他のネットワークへのアクセスを提供するために他のコンポーネントまたは装置とも通信し得る。
【００１５】
ＵＥ１１０およびアクセス装置１２０は、少なくとも１つのダウンリンク（ＤＬ）チャンネル、少なくとも１つのアップリンク（ＵＬ）チャンネル、または両方を介してワイヤレスに通信し得る。ダウンリンクおよびアップリンクチャンネルは、物理チャンネルであり得、これは静的、準静的、または動的に割り当てられたネットワークリソースであり得る。例えば、ダウンリンクおよびアップリンクチャンネルは、少なくとも１つの物理ダウンリンク共有チャンネル（ＰＤＳＣＨ）、少なくとも１つの物理ダウンリンク制御チャンネル（ＰＤＣＣＨ）、少なくとも１つの物理アップリンク共有チャンネル（ＰＵＳＣＨ）、少なくとも１つの物理アップリンク制御チャンネル（ＰＵＣＣＨ）、またはその組み合わせを含み得る。実施形態では、ダウンリンクおよびアップリンクチャンネルは、ＦＤＤを使用して確立され得、信号は異なる周波数で受信および送信される。その上またはその代わりに、ダウンリンクおよびアップリンクチャンネルは、時分割を使用して確立され得、信号は異なる送信時間間隔（ＴＴＩ）で送信、受信、または両方がされ得る。
【００１６】
実施形態では、アクセス装置１２０は、およそ一定のＲＴＴ、またはおよそ等しい時間間隔で周期的な態様で、ダウンリンクを通してＵＥ１１０に複数のＨＡＲＱメッセージを送信し得る。いくつかのシステムでは、ＵＥ１１０は、およそＲＴＴで周期的に各ＨＡＲＱメッセージを検出し得、アップリンクを通して１つのＡＣＫ／ＮＡＣＫメッセージで返答し得る。その上、バッテリー電力を節約するために、ＵＥ１１０は、ＨＡＲＱメッセージを期待しないときにはスリープモードに切り替わり得、ＨＡＲＱメッセージを検出し、ＡＣＫ／ＮＡＣＫメッセージを送信するために、およそＲＴＴ毎に、またはＵＥ１１０に繋がれ得るＨＡＲＱ  ＲＴＴタイマー１４０の失効時にウェイクアップし得る。しかし、以前に考察されたように、次世代システムでは、ＵＥ１１０は、フィードバックおよびエラー修正を向上させるために、１つのＡＣＫ／ＮＡＣＫメッセージの代わりに複数のＡＣＫ／ＮＡＣＫサブフレームでそれぞれの検出されたＨＡＲＱメッセージに返答し得る。特に、ＵＥ１１０は、規定された回数のＡＣＫ／ＮＡＣＫサブフレームを繰り返し送信し得る。繰り返されたＡＣＫ／ＮＡＣＫサブフレームは、およそ等しい時間遅延で運ばれ得る。例えば、それぞれの繰り返されたＡＣＫ／ＮＡＣＫサブフレームを運ぶ時間は、本実施形態では約１ミリ秒であり得るが、他の実施形態では、より長くまたはより短くあり得る。アクセス装置１２０は、繰り返されたＡＣＫ／ＮＡＣＫサブフレームを受信し得、次に、ＮＡＣＫサブフレームの場合には、それに応じてＨＡＲＱメッセージを再送信し得る。
【００１７】
実施形態では、繰り返されたＡＣＫ／ＮＡＣＫサブフレームの数は、ワイヤレス通信システム１００の無線条件に基づき得る。ＡＣＫ／ＮＡＣＫの繰り返しは、約２、約４、約６、またはより多くに等しくセットされ得る。例えば、ＡＣＫ／ＮＡＣＫの繰り返しの数は、良好な無線条件では約１にセットされ得、無線条件が悪化するにつれ約４、約６、またはより多くに増やされ得る。いくつかの実施形態では、ＵＥ１１０は、例えばアクセス装置１２０から、ＡＣＫ／ＮＡＣＫの繰り返しのセッティングを変更するための更新された要求を受信し得る。従って、アクセス装置１２０は、ＵＥ１１０から期待する繰り返されたＡＣＫ／ＮＡＣＫサブフレームの数を知っている。
【００１８】
アクセス装置１２０は次のＨＡＲＱメッセージを送信する前に繰り返されたＡＣＫ／ＮＡＣＫサブフレームを受信することを待つため、ＲＴＴ、または再送信されたＨＡＲＱメッセージ間の時間間隔は、送信されているＡＣＫ／ＮＡＣＫサブフレームの数に対して増やされる。増やされた、または延長されたＲＴＴは、１つのＡＣＫ／ＮＡＣＫサブフレームを考慮するＨＡＲＱメッセージを受信するためのラウンドトリップタイム、および残りのＡＣＫ／ＮＡＣＫサブフレーム（例えば、これらを運ぶこと、またそうでなければ提供すること）に関連する時間遅延を含み得る。ＨＡＲＱメッセージを適切に検出するためには、ＵＥ１１０は、およそ延長されたＲＴＴでウェイクアップさせるべきである。
【００１９】
図２は、延長されたＲＴＴ２００の実施形態を描写する。延長されたＲＴＴ２００は、第一ＡＣＫ／ＮＡＣＫサブフレーム２１０を考慮に入れるＨＡＲＱメッセージを受信するための時間遅延、およびそれぞれの追加的なＡＣＫ／ＮＡＣＫサブフレーム２２０を運ぶため、またそうでなければ提供するための追加的な時間を含む。従って、延長されたＲＴＴ２００は、１つのＡＣＫ／ＮＡＣＫ返答に関連する時間（および処理の遅延、送信の遅延、など）を含むＨＡＲＱメッセージを受信するためのＲＴＴ、および追加的なＡＣＫ／ＮＡＣＫサブフレームに関連する時間を含み得る。残りのＡＣＫ／ＮＡＣＫサブフレームに関連する時間は、繰り返されるＡＣＫ／ＮＡＣＫサブフレームの全てに関連する時間から、すでに考慮された第一ＡＣＫ／ＮＡＣＫサブフレームを除外するために１つのＡＣＫ／ＮＡＣＫサブフレームに関連する時間を引いたものに等しくセットされ得る。
【００２０】
ＵＥ１１０は、およそ延長されたＲＴＴ２００の後に切れるようにセットさえ得るＨＡＲＱ  ＲＴＴタイマー１４０を使用してウェイクアップし得る。例えば、ＲＡＮ２＃６３−ＢＩＳ仕様に互換性のあるシステムで、各ＡＣＫ／ＮＡＣＫサブフレームを運ぶための約１ミリ秒の遅延を仮定すると、ＨＡＲＱ  ＲＴＴタイマー１４０は、ＡＣＫ／ＮＡＣＫの繰り返し時間ファクター（Ｎ−ＡＮＲｅｐとも呼ばれる）引く１に加えて、規定された数（ｋ）のミリ秒（ｍｓ）のほぼ後に切れるようにセットされ得る。実施形態では、ｋは８に等しくあり得る。延長されたＲＴＴ２００は、
ＲＴＴ＝ｋ  ｍｓ＋Ｎ−ＡＮＲｅｐ−１のように表現され得る。
【００２１】
例として、ＨＡＲＱ  ＲＴＴタイマー１４０は、８ミリ秒にセットされ得、これはＵＥ１１０が現在のダウンリンク受信の８ミリ秒後に再送信を期待し得ることを意味する。ＡＣＫ／ＮＡＣＫが６の繰り返しファクターで行動可能にされる場合、ＵＥは、現在のダウンリンク受信の８＋６−１＝１３ミリ秒後に再送信を期待し得る。
【００２２】
実施形態では、ＵＥ１１０は、バッテリー電力を更に温存するために、ＨＡＲＱ  ＲＴＴタイマー１４０に加えて他のタイマーを使用し得る。例えば、ＵＥ１１０は、断続的にＰＤＣＣＨを受信するために、以前に記述されたように拡張されたＨＡＲＱ  ＲＴＴタイマー１４０に加えてＤＲＸタイマーのような別のタイマーを使用し得る。従って、ＵＥ１１０は、ＤＲＸタイマーが切れるときにＰＤＣＣＨを受信するために目覚め得、このことは、ＤＲＸオン期間の開始であるという信号を送る。ＵＥ１１０は、ＨＡＲＱ  ＲＴＴタイマー１４０が切れるときにＨＡＲＱメッセージを受信するためにも目覚め得、このことは、ＨＡＲＱメッセージの再送信の信号を送る。ＤＲＸタイマーおよびＨＡＲＱ  ＲＴＴタイマー１４０がほぼ同時に、または近い時間に切れるときには、ＵＥ１１０は、ＰＤＣＣＨを受信するためにウェイクアップし得る。一方、ＤＲＸタイマーがＨＡＲＱ  ＲＴＴタイマー１４０の前に切れるときには、ＵＥ１１０は、ＰＤＣＣＨを受信するためにウェイクアップし得る。
【００２３】
図３は、ＡＣＫ／ＮＡＣＫの繰り返しの場合にＨＡＲＱメッセージを検出するための方法３００の実施形態を描写する。ブロック３１０では、ＵＥ１１０は、ＨＡＲＱメッセージを受信した後にＡＣＫ／ＮＡＣＫの繰り返しのセッティングに従ってＨＡＲＱ  ＲＴＴタイマー１４０をセットし得る。ＡＣＫ／ＮＡＣＫの繰り返しのセッティングは、無線条件に基づいて構成または更新され得る。例えば、２つのＡＣＫ／ＮＡＣＫフレームがあり得る通常無線条件では、ＲＴＴ時間は約９ミリ秒に等しくセットされ得、これは第一ＡＣＫ／ＮＡＣＫサブフレームを含むＨＡＲＱ  ＲＴＴのための約８ミリ秒と、第二ＡＣＫ／ＮＡＣＫサブフレームを送信するまたは運ぶための約１ミリ秒を含む。あるいは、ＲＴＴ時間は、より好都合でない無線条件では約１１または約１３ミリ秒に等しくセットされ得、これは４つまたは６つの繰り返されたＡＣＫ／ＮＡＣＫフレーム、第一ＡＣＫ／ＮＡＣＫサブフレームを含むＨＡＲＱ  ＲＴＴのための約８ミリ秒、および３つまたは５つの追加的なＡＣＫ／ＮＡＣＫサブフレームを運ぶための約３または約５ミリ秒を含み得る。ＨＡＲＱ  ＲＴＴタイマー１４０がセットされれば、ＵＥ１１０は、他の活動がスケジュールされていない場合、いくらかのバッテリー電力を節約するためにスリープモードに切り替わり得る。
【００２４】
ブロック３２０では、ＵＥ１１０は、ＨＡＲＱ  ＲＴＴタイマー１４０が切れるときに次の再送信されたＨＡＲＱメッセージを受信するためにウェイクアップし得る。ＵＥ１１０は、ＤＲＸオン期間のような活動時間中、またはＤＲＸオフ期間のような非活動時間中にウェイクアップし得る。ＵＥ１１０は、ＨＡＲＱメッセージを検出し処理し得、次に、繰り返されたＡＣＫ／ＮＡＣＫサブフレームを送信する。
【００２５】
以前に記述されたＵＥ１１０および他のコンポーネントは、以前に記述された行動に関する命令を執行することが可能である処理コンポーネントを含み得る。図４は、この明細書に開示された１つ以上の実施形態を実装することに適する処理コンポーネント６１０を含むシステム６００の例を描写する。プロセッサー６１０（これは、中央処理装置またはＣＰＵと呼ばれ得る）に加え、システム６００は、ネットワーク接続装置６２０、ランダムアクセスメモリ（ＲＡＭ）６３０、リードオンリーメモリ（ＲＯＭ）６４０、二次記憶装置６５０、および入出力（Ｉ／Ｏ）装置６６０を含み得る。これらのコンポーネントは、バス６７０を介して相互に通信し得る。いくつかの事例では、これらのコンポーネントのいくつかは存在し得ないか、または相互に対して様々な組み合わせに、もしくは示されていない他のコンポーネントとの様々な組み合わせに組み合わされ得る。これらのコンポーネントは、１つの物理的実体、または１つより多い物理的実体に位置され得る。プロセッサー６１０により起こされたとされるこの明細書に記述されたいかなる行動は、プロセッサー６１０により単独で、またはプロセッサー６１０がＤＳＰ４０２のような、図面に示されるまたは示されない１つ以上のコンポーネントと共同で起こされ得る。ＤＳＰ４０２は、別個のコンポーネントとして示されるが、ＤＳＰ４０２は、プロセッサー６１０内に組み込まれ得る。
【００２６】
プロセッサー６１０は、ネットワーク接続装置６２０、ＲＡＭ６３０、ＲＯＭ６４０、または二次記憶装置６５０（これは、ハードディスク、フロッピー（登録商標）ディスク、または光ディスクのようなさまざまなディスクベースのシステムを含み得る）からプロセッサー６１０がアクセスし得る命令、コード、コンピュータープログラム、またはスクリプトを執行する。１つのＣＰＵ６１０のみが示されるが、複数のプロセッサーが存在し得る。そのため、命令は、１つのプロセッサーにより執行されたとして考察され得るが、命令は、同時に、連続で、またそうでなければ１つまたは複数のプロセッサーにより執行され得る。プロセッサー６１０は、１つ以上のＣＰＵチップとして実装され得る。
【００２７】
ネットワーク接続装置６２０は、モデム、集合モデム、イーサネット（登録商標）装置、ユニバーサルシリアルバス（ＵＳＢ）インターフェイス装置、シリアルインターフェイス、トークンリング装置、光ファイバ分散データインターフェイス（ＦＤＤＩ）装置、ワイヤレスローカルエリアネットワーク（ＷＬＡＮ）装置、符号分割多元接続（ＣＤＭＡ）装置のような無線トランシーバー装置、汎欧州デジタル移動電話方式（ＧＳＭ）無線トランシーバー装置、ワイマックス（ＷｉＭＡＸ）装置、および／またはネットワークに接続するための他の周知の装置の形式を取り得る。これらのネットワーク接続装置６２０は、プロセッサー６１０が、インターネットもしくは一つ以上の電話通信ネットワーク、またはプロセッサー６１０が情報を受信し得る他のネットワークもしくはプロセッサー６１０が情報を出力し得る他のネットワークと通信することを可能にし得る。ネットワーク接続装置６２０は、ワイヤレスにデータを送信および／または受信することが可能な１つ以上のトランシーバーコンポーネント６２５をも含み得る。
【００２８】
ＲＡＭ６３０は、揮発性データを記憶するため、および、ことによると、プロセッサー６１０により執行される命令を記憶するために使用され得る。ＲＯＭ６４０は、典型的に、二次記憶装置６５０のメモリ容量よりも少ないメモリ容量を有する不揮発性メモリ装置である。ＲＯＭ６４０は、命令、および、ことによると、命令の執行中に読まれるデータを記憶するために使用され得る。ＲＡＭ６３０およびＲＯＭ６４０両方へのアクセスは、典型的に、二次記憶装置６５０へよりも速い。二次記憶装置６５０は、典型的に、１つ以上のディスクドライブまたはテープドライブから成り、データの不揮発性記憶のために、または、ＲＡＭ６３０が全ての作業データを保持するために充分に大きくない場合、オーバーフローデータ記憶装置として使用され得る。二次記憶装置６５０は、ＲＡＭ６３０にロードされたプログラムが執行のために選択されたときに、このようなプログラムを記憶するために使用され得る。
【００２９】
入出力装置６６０は、液晶ディスプレー（ＬＣＤ）、タッチスクリーンディスプレー、キーボード、キーパッド、スイッチ、ダイアル、マウス、トラックボール、音声認識器、カードリーダー、ペーパーテープリーダー、プリンタ、ビデオモニター、または他の周知の入力もしくは出力装置を含み得る。また、トランシーバー６２５は、ネットワーク接続装置６２０のコンポーネントである代わりに、またはそれに加えて、入出力装置６６０のコンポーネントとみなされ得る。
【００３０】
以下の資料（３ＧＰＰ  ＲＡＮ２＃６３−ＢＩＳおよび３ＧＰＰ  ＲＡＮ１＃５４−ＢＩＳ）は、あらゆる目的のために参照によりこの明細書に援用される。
【００３１】
実施形態では、ＨＡＲＱメッセージを検出するための方法が提供される。方法は、ＡＣＫ／ＮＡＣＫの繰り返しに関連する時間遅延に基づいてＲＴＴをセットすることを含む。
【００３２】
別の実施形態では、ＵＥが提供される。ＵＥは、ＡＣＫ／ＮＡＣＫの繰り返しに関連する時間遅延に基づいてＲＴＴをセットするように構成されたプロセッサーを含む。
【００３３】
複数の実施形態が本開示で提供されているが、開示されたシステムおよび方法は、本開示の精神または範囲から離れることなく多くの他の特定の形式で具現化され得ることが理解されるべきである。本例は、限定的ではなく描写的とみなされ、この明細書に与えられた詳細に制限されるという意図ではない。例えば、様々な要素またはコンポーネントは、別のシステムと組み合わせられ得るか統合され得るか、または特定の特徴が省略または実装され得ない。
【００３４】
また、様々な実施形態に別々または別個と記述および描写された技法、システム、サブシステム、および方法は、本開示の範囲から逸脱することなく他のシステム、モジュール、技法、または方法と組み合わされ得るか、統合され得る。互いに結合された、もしくは互いに直接結合された、または相互に通信すると示されるか考察される他の項目は、電気的、機械的、または別のやり方であろうと、間接的に繋がれ得るか、あるインターフェイス、装置、または媒介コンポーネントを通して通信し得る。変更、代替、および改変の他の例は、当業者により確認可能であり、本明細書に開示された精神および範囲から逸脱するなしになされ得る。
例えば、本願発明は、以下の項目を含む。
（項目１）
ハイブリッド自動再送要求（ＨＡＲＱ）メッセージを検出するための方法であって、該方法は、
肯定応答（ＡＣＫ）／否定応答（ＮＡＣＫ）の繰り返しに関連する時間遅延に基づいてラウンドトリップタイム（ＲＴＴ）をセットすること
を含む、方法。
（項目２）
項目１の方法であって、更に、ＲＴＴが切れるときにＨＡＲＱメッセージを受信することを含む、方法。
（項目３）
項目１の方法であって、更に、前記ＲＴＴがセットされたときにスリープモードに切り替わることと、再送信されたＨＡＲＱメッセージを受信するように前記ＲＴＴが切れているときにウェイクアップさせることとを含む、方法。
（項目４）
項目３の方法であって、更に、前記ＲＴＴが切れているときに間欠受信（ＤＲＸ）オフ期間中にウェイクアップさせることを含む、方法。
（項目５）
項目１の方法であって、前記ＡＣＫ／ＮＡＣＫの繰り返しは、それぞれの再送信されたＨＡＲＱメッセージにつき約２、約４、または約６の繰り返されたＡＣＫ／ＮＡＣＫサブフレームに等しい、方法。
（項目６）
項目１の方法であって、前記ＲＴＴは、所定の時間に、繰り返されたＡＣＫ／ＮＡＣＫサブフレームを運ぶための総時間遅延引く１を加えたものにほぼ等しくセットされる、方法。
（項目７）
項目６の方法であって、前記所定の時間は約８ミリ秒に等しく、１つのＡＣＫ／ＮＡＣＫサブフレームを運ぶための前記時間遅延は約１ミリ秒に等しい、方法。
（項目８）
項目７の方法であって、通信は周波数分割複信（ＦＤＤ）を使用して確立される、方法。
（項目９）
項目６の方法であって、前記所定の時間は約４＋ｍミリ秒に等しく、ｍは規定された整数である、方法。
（項目１０）
項目９の方法であって、通信は時分割複信（ＴＤＤ）を使用して確立される、方法。
（項目１１）
ユーザ機器（ＵＥ）であって、該ユーザ機器は、
肯定応答（ＡＣＫ）／否定応答（ＮＡＣＫ）の繰り返しのセッティングに基づいてラウンドトリップタイム（ＲＴＴ）をセットするように構成されたプロセッサー
を含む、ユーザ機器。
（項目１２）
項目１１のＵＥであって、ＨＡＲＱメッセージは前記ＲＴＴが切れているときに受信される、ＵＥ。
（項目１３）
項目１１のＵＥであって、再送信されたＨＡＲＱメッセージは、前記ＲＴＴが切れるときにスリープモードからウェイクした後に受信され、該ＲＴＴはスリープモードに切り替わる前にセットされる、ＵＥ。
（項目１４）
項目１３のＵＥであって、前記スリープモードに切り替わることは、バッテリー電力を節約することを促進する、ＵＥ。
（項目１５）
項目１３のＵＥであって、前記再送信されたＨＡＲＱメッセージは、間欠受信（ＤＲＸ）オフ期間中に前記ＲＴＴが切れているときに受信される、ＵＥ。
（項目１６）
項目１１のＵＥであって、前記ＡＣＫ／ＮＡＣＫの繰り返しのセッティングは、それぞれの再送信されたＨＡＲＱメッセージにつき約２、約４、または約６の繰り返されたＡＣＫ／ＮＡＣＫサブフレームに等しい、ＵＥ。
（項目１７）
項目１６のＵＥであって、前記ＲＴＴは、所定の時間に、前記繰り返されたＡＣＫ／ＮＡＣＫサブフレームを運ぶための総時間遅延引く１を加えたものにほぼ等しくセットされる、ＵＥ。
（項目１８）
項目１７のＵＥであって、前記所定の時間は約８ミリ秒に等しく、１つのＡＣＫ／ＮＡＣＫサブフレームを運ぶための前記時間遅延は約１ミリ秒に等しい、ＵＥ。
（項目１９）
項目１８のＵＥであって、通信は周波数分割複信（ＦＤＤ）を使用して確立される、ＵＥ。
（項目２０）
項目１７のＵＥであって、前記所定の時間は約４＋ｍミリ秒に等しく、ｍの値は構成に依存する、ＵＥ。
（項目２１）
項目２０のＵＥであって、通信は時分割複信（ＴＤＤ）を使用して確立される、ＵＥ。
【図１】
0005285785.tif 000002
【図２】
0005285785.tif 000003
【図３】
0005285785.tif 000004
【図４】
0005285785.tif 000005